(57)【特許請求の範囲】
【請求項１】
ネットオークションを管理する情報処理装置であって、
利用者の購入対象となる商品の中から、前記利用者が落札した商品とまとめて取引が可能な商品を抽出する抽出手段と、
前記落札した商品の情報と、前記落札した商品とまとめて取引が可能な商品の情報とを含むまとめ買い情報を、前記利用者に提供する情報提供手段と、
を有する情報処理装置。
【請求項２】
前記利用者の購入対象となる商品は、
前記利用者が入札中の商品であることを特徴とする請求項１に記載の情報処理装置。
【請求項３】
前記まとめて取引が可能な商品を購入することによって得られる特典に係る情報を記憶する記憶手段を有し、
前記まとめ買い情報は、
前記特典の情報を含む請求項１又は２に記載の情報処理装置。
【請求項４】
前記まとめ買い情報は、
前記特典を得るための条件の情報を含む請求項３に記載の情報処理装置。
【請求項５】
前記まとめ買い情報は、
前記落札した商品の価格と、前記まとめて取引が可能な商品の価格との合計金額の情報を含む請求項１乃至４のいずれか一項に記載の情報処理装置。
【請求項６】
前記抽出手段は、
一の出品者から落札した商品に係る取り置き期間の情報に基づいて、前記一の出品者から落札した商品のまとめ買い対象期間を特定し、
前記一の出品者に係る前記利用者の購入対象となる商品の中から、前記まとめ買い対象期間内にオークションを終了し得る商品を、前記一の出品者から落札した商品とまとめて取引が可能な商品として抽出する請求項１乃至５のいずれか一項に記載の情報処理装置。
【請求項７】
前記抽出手段は、
前記一の出品者から落札した商品が複数ある場合、
前記一の出品者から落札した商品のうち、前記取り置き期間の残り期間が最も短い商品に係る取り置き期間を、前記一の出品者から落札した商品のまとめ買い対象期間とする請求項６に記載の情報処理装置。
【請求項８】
前記情報提供手段は、
前記まとめ買い情報を、出品者毎にまとめて表示させる請求項１乃至７のいずれか一項に記載の情報処理装置。
【請求項９】
前記情報提供手段は、
前記まとめ買い情報を、前記まとめて取引が可能な期間毎にまとめて表示させる請求項１乃至８のいずれか一項に記載の情報処理装置。
【請求項１０】
前記まとめ買い情報は、
前記落札した商品の出品者の商品一覧ページへのリンク情報を含む請求項１乃至９のいずれか一項に記載の情報処理装置。
【請求項１１】
前記まとめ買い情報は、
前記まとめて取引が可能な商品にまとめて入札するための入札ページへのリンク情報を含む請求項１乃至１０のいずれか一項に記載の情報処理装置。
【請求項１２】
前記まとめて取引が可能な商品は、
前記ネットオークションに係る取引連絡、入金、及び発送に係る処理のうちの少なくとも一部をまとめて処理することが可能な商品であることを特徴とする請求項１乃至１１のいずれか一項に記載の情報処理装置。
【請求項１３】
ネットオークションを管理する情報処理装置を、
利用者の購入対象となる商品の中から、前記利用者が落札した商品とまとめて取引が可能な商品を抽出する抽出手段と、
前記落札した商品の情報と、前記落札した商品とまとめて取引が可能な商品の情報とを含むまとめ買い情報を、前記利用者に提供する情報提供手段と、
として機能させるためのプログラム。
【請求項１４】
ネットオークションを提供する情報処理システムであって、
利用者の購入対象となる商品の中から、前記利用者が落札した商品とまとめて取引が可能な商品を抽出する抽出手段と、
前記落札した商品の情報と、前記落札した商品とまとめて取引が可能な商品の情報とを含むまとめ買い情報を、前記利用者に提供する情報提供手段と、
を有する情報処理システム。
【発明の詳細な説明】
【技術分野】
【０００１】
本発明は、情報処理装置、情報処理システム、及びプログラムに関する。
【背景技術】
【０００２】
インターネット等のネットワークを利用したオークション（以下、ネットオークションと呼ぶ）が知られている。また、ネットオークションにおいて、所定の期間内に落札された落札金額を落札者毎に集計して各落札者に通知し、所定の期間内の複数の落札に対する入金手続きを１回で済むようにしたオークションシステムが知られている（例えば、特許文献１参照）。
【先行技術文献】
【特許文献】
【０００３】
【特許文献１】特開２００２−２１５９５３号公報
【発明の概要】
【発明が解決しようとする課題】
【０００４】
ネットオークションで複数の商品を購入する場合、その性質上購入タイミングが異なる場合が多い。また、同じ出品者から複数の商品を購入する場合、取引を簡便にするために、購入に係る処理をできるだけまとめて取引したいというニーズがある。
【０００５】
しかしながら、従来の技術では、同一の出品者から落札済の商品をまとめて取引できるにとどまっており、利用者は購入を希望する商品（例えば入札中の商品）がある場合でも、それらを購入してまとめて取引できるかどうかを把握することには困難を伴っていた。
【０００６】
本発明は、上記課題に鑑みてなされたものであり、ネットオークションにおいて、利用者が、購入を希望する商品について、それらを購入してまとめて取引することができるかどうかを把握することを容易にする情報処理装置を提供することを目的とする。
【課題を解決するための手段】
【０００７】
本発明の一実施形態に係る情報処理装置は、ネットオークションを管理する情報処理装置であって、利用者の購入対象となる商品の中から、前記利用者が落札した商品とまとめて取引が可能な商品を抽出する抽出手段と、前記落札した商品の情報と、前記落札した商品とまとめて取引が可能な商品の情報とを含むまとめ買い情報を、前記利用者に提供する情報提供手段と、を有する。
【発明の効果】
【０００８】
本発明の各実施形態によれば、ネットオークションにおいて、利用者が、購入を希望する商品について、それらを購入してまとめて取引することができるかどうかを把握することを容易にする情報処理装置を提供することが可能となる。
【図面の簡単な説明】
【０００９】
【図１】一実施形態に係る情報処理システムの構成例を示す図である。
【図２】一実施形態に係る管理サーバのハードウェア構成例を示す図である。
【図３】一実施形態に係る情報端末のハードウェア構成例を示す図である。
【図４】一実施形態に係る情報処理システムの機能構成図である。
【図５】一実施形態に係る各情報の例を示す図である。
【図６】一実施形態に係る出品時の処理の例を示すシーケンスチャートである。
【図７】一実施形態に係るログインページ及び出品受付ページの画面例を示す図である。
【図８】一実施形態に係る抽出部の処理の流れを示すフローチャートである。
【図９】一実施形態に係るまとめ買い商品の抽出処理の流れを示すフローチャートである。
【図１０】一実施形態に係るまとめ買い対象期間について説明するための図である。
【図１１】一実施形態に係るユーザのオークションページの例を示す図である。
【図１２】一実施形態に係る入札中ページ、及び落札分ページの例を示す図である。
【図１３】一実施形態に係るまとめ買い情報ページの例を示す図である。
【図１４】一実施形態に係る入札ページ及びまとめて入札ページの画面例を示す図である。
【発明を実施するための形態】
【００１０】
以下、本発明の各実施形態の詳細について添付の図面を参照しながら説明する。なお、各実施形態に係る明細書及び図面の記載に際して、実質的に同一の機能構成を有する構成要素については、同一の符号を付することにより重複した説明を省く。
【００１１】
＜システムの構成＞
初めに、本実施形態に係るシステム構成の概要について説明する。
【００１２】
図１は、一実施形態に係る情報処理システムの構成例を示す図である。情報処理システム１００は、インターネット等のネットワーク１０３を介して接続された管理サーバ１０１、及び複数の情報端末１０２−１〜１０２−４を含む。なお、以下の説明の中で、複数の情報端末１０２−１〜１０２−４のうちの任意の情報端末を示す場合、「情報端末１０２」を用いる。また、図１の情報端末１０２の数は一例である。
【００１３】
管理サーバ１０１は、ネットワークを利用したオークション（以下、ネットオークションと呼ぶ）を管理し、複数の情報端末１０２−１〜１０２−４等の利用者にネットオークションの各種サービスを提供する情報処理装置である。
【００１４】
情報端末１０２は、例えば、デスクトップＰＣ（Personal Computer）、ノートＰＣ、スマートフォン、タブレット端末等の情報端末である。情報端末１０２の利用者は、例えば、情報端末１０２のウェブブラウザを用いて管理サーバ１０１が提供するネットオークションのウェブサイトにアクセスすることにより、ネットオークションの各種のサービスを利用することができる。例えば、利用者は、情報端末１０２を用いて、ネットオークションにおける、商品の出品、商品の閲覧、入札、及び落札後の取引連絡等を行う。
【００１５】
なお、図１の構成はあくまで一例である。例えば、管理サーバ１０１は、複数の情報処理装置によって構成されるものであっても良いし、情報端末１０２は、例えば、ＬＡＮ（Local Area Network）、ルータ等の様々なネットワーク設備や機器を介してネットワーク１０３に接続されるものであっても良い。
【００１６】
＜ハードウェア構成＞
次に、管理サーバ１０１及び情報端末１０２のハードウェア構成について説明する。
【００１７】
（管理サーバのハードウェア構成）
図２は、一実施形態に係る管理サーバのハードウェア構成例を示す図である。管理サーバ１０１は、一般的なコンピュータの構成を有しており、例えば、ＣＰＵ（Central Processing Unit）２０１、ＲＯＭ（Read Only Memory）２０２、ＲＡＭ（Random Access Memory）２０３、ストレージ部２０４、入力部２０５、通信部２０６、外部Ｉ／Ｆ（Interface）２０７、バス２０８等を有する。
【００１８】
ＣＰＵ２０１は、ストレージ部２０４等に格納された各種プログラムを実行することにより、管理サーバ１０１の各種の機能を実現する演算装置である。
【００１９】
ＲＯＭ２０２は不揮発性メモリである。ＲＯＭ２０２は、ストレージ部２０４に格納された各種プログラムを、ＣＰＵ２０１が実行するために必要な各種プログラム、データ等を格納する。例えば、ＲＯＭ２０２には、ＢＩＯＳ（Basic Input/Output System）やＥＦＩ（Extensible Firmware Interface）等のブートプログラム等が格納される。
【００２０】
ＲＡＭ２０３は、ＤＲＡＭ（Dynamic Random Access Memory）やＳＲＡＭ（Static Random Access Memory）等の主記憶装置である。ＲＡＭ２０３は、ストレージ部２０４に格納された各種プログラムがＣＰＵ２０１によって実行される際に展開される、作業領域等として利用される。
【００２１】
ストレージ部２０４は、例えば、ＨＤＤ（Hard Disk Drive）、ＳＳＤ（Solid State Drive）等のストレージ装置である。ストレージ部２０４は、ＣＰＵ２０１により実行される各種プログラム及び各種プログラムがＣＰＵ２０１により実行される際に利用される各種情報を格納する。ストレージ部２０４が格納する各種情報には、例えば、ネットオークションに係る出品商品の情報、入札情報、落札情報、ユーザ情報等が含まれる。
【００２２】
入力部２０５は、各サーバの管理者が各サーバに各種指示を入力する際に用いられる、例えば、キーボード、マウス等の入力装置である。通信部２０６は、ネットワーク１０３を介して、情報端末１０２や、他のサーバ等と通信を行うための通信インタフェースである。
【００２３】
外部Ｉ／Ｆ部２０７は、管理サーバ１０１に外部装置を接続するためのインタフェースである。外部装置には、例えば、ＵＳＢ（Universal Serial Bus）メモリ、メモリカード、光学ディスク等の記録媒体２０９や、各種の電子機器等が含まれる。バス２０８は、上記の各構成要素に共通に接続され、アドレス信号、データ信号、及び各種制御信号等を伝達する。
【００２４】
（情報端末のハードウェア構成）
次に、情報端末１０２のハードウェア構成について説明する。
【００２５】
図３は、一実施形態に係る情報端末のハードウェア構成例を示す図である。情報端末１０２は、一般的なコンピュータの構成を有しており、例えば、ＣＰＵ３０１、ＲＡＭ３０２、ＲＯＭ３０３、ストレージ部、入力部３０５、表示部３０６、通信部３０７、外部Ｉ／Ｆ部３０８、及びバス３０９等を含む。
【００２６】
ＣＰＵ３０１は、ストレージ部３０４等に格納された各種プログラムを実行することにより、情報端末１０２の各種の機能を実現する演算装置である。ＲＡＭ３０２は、例えば、ＤＲＡＭやＳＲＡＭ等の主記憶装置である。ＲＡＭ３０２は、ストレージ部３０４に格納された各種プログラムがＣＰＵ３０１によって実行される際に展開される、作業領域等として利用される。ＲＯＭ３０３は、ストレージ部３０４に格納された各種プログラムを、ＣＰＵ３０１が実行するために必要な各種プログラム、データ等を格納する不揮発性のメモリ装置である。ＲＯＭ３０３には、例えば、ＢＩＯＳやＥＦＩ等のブートプログラム等が格納される。
【００２７】
ストレージ部２０４は、例えば、ＨＤＤ、ＳＳＤ、フラッシュＲＯＭ等のストレージ装置である。ストレージ部２０４には、例えば、ＣＰＵ３０１により実行される各種プログラム及び各種プログラムがＣＰＵ３０１により実行される際に利用される各種情報等が格納される。
【００２８】
入力部３０５は、情報端末１０２のユーザが情報端末１０２に各種指示を入力する際に用いられる、例えば、キーボード、マウス、タッチパッド、タッチパネル等の入力装置である。表示部３０６は、例えば情報端末１０２がネットワーク１０３を介して管理サーバ１０１にアクセスすることで取得した各種表示画面等を表示する。通信部３０７は、インターネット１５０を介して、管理サーバ１０１等と通信を行うための通信インタフェースである。なお、図３の構成はあくまで一例であり、例えば、入力部３０５と表示部３０６は、一体化されたタッチパネルディスプレイ等の表示入力装置であっても良い。
【００２９】
＜機能構成＞
続いて、情報処理システム１００の機能構成について説明する。
【００３０】
図４は、一実施形態に係る情報処理システムの機能構成図である。図４において、情報処理システム１０４は、ネットワーク１０３に接続された管理サーバ１０１、及び複数の情報端末１０２−１〜１０２−３を含む。また、ネットオークションの利用者は、任意の情報端末１０２を用いて出品、入札等の処理が可能であるが、ここでは説明のため、情報端末１０２−１は出品者の情報端末であるものとし、情報端末１０２−２、１０２−３は入札者の情報端末であるものとして説明を行う。
【００３１】
（管理サーバの機能構成）
管理サーバ１０１は、例えば、出品受付部４０１、出品情報管理部４０２、閲覧・入力受付部４０３、ウォッチリスト情報管理部４０４、入札履歴情報管理部４０５、落札管理部４０６、まとめ買い商品抽出部４０７、まとめ買い情報提供部４０８、通信部４０９、記憶制御部４１０、及び記憶部４１１等を有する。
【００３２】
出品受付部４０１は、管理サーバ１０１が提供するネットオークションへの出品を受け付ける手段である。例えば、出品受付部４０１は、出品者の情報端末１０２−１からの要求に応じて出品画面を提供し、出品に必要な情報を入力させることで、オークションへの出品を受け付ける。
【００３３】
出品情報管理部４０２は、ネットオークションに出品された複数の商品の情報を管理する手段である。例えば、出品情報管理部４０２は、出品受付部４０１が受け付けた出品商品の情報を、記憶部４１１等の記憶手段に出品情報４１３として記憶して、管理する。
【００３４】
閲覧・入力受付部４０３は、情報端末１０２に、ネットオークションに係る様々な情報の閲覧や、情報の入力等を行うためのウェブサイト、ウェブページ等を提供する。閲覧・入力受付部４０３は、情報端末１０２からの要求に応じて、ネットオークションに係る様々なウェブページを情報端末に表示させて、利用者によってウェブページに入力された情報を受け付ける。
【００３５】
ウォッチリスト情報管理部４０４は、閲覧・入力受付部４０３が、入札者の情報端末１０２−２、１０２−３から受け付けたウォッチリストへの登録要求に応じて、閲覧中の商品の情報等を利用者のウォッチリストに登録する。例えば、ウォッチリスト情報管理部４０４は、利用者によりウォッチリストへの登録を要求された商品の情報と、利用者の識別情報とを対応づけて、記憶部４１１等の記憶手段に記憶されたウォッチリスト情報４１４に記憶して、管理する。
【００３６】
なお、ウォッチリストとは、ブラウザのブックマークもしくはお気に入り登録等と同様の機能であり、興味のある商品をウォッチリストに登録しておくことにより、ウォッチリストから商品画面を容易に呼び出すことができるようになる。
【００３７】
入札履歴情報管理部４０５は、閲覧・入力受付部４０３が、入札者の情報端末１０２−２、１０２−３等から入札された入札価格の情報を管理する手段である。例えば、入札履歴情報管理部４０５は、閲覧・入力受付部４０３が受け付けた入札履歴の情報を、記憶部４１１等の記憶手段に記憶された入札履歴情報４１５に記憶して、管理する。
【００３８】
落札管理部４０６は、商品が落札された場合、商品が落札されたことを示す落札通知を、例えば、電子メール等により、出品者及び落札者に通知する。また、落札管理部４０６は、落札された商品の落札情報を、記憶部４１１等の記憶手段に記憶された出品情報４１３に反映させる。
【００３９】
まとめ買い商品抽出部（以下、抽出部と呼ぶ）４０７は、利用者の購入対象となる商品（例えば、入札中の商品）の中から、利用者が落札した商品とまとめて取引が可能な商品を抽出する。
【００４０】
好ましくは、利用者の購入対象となる商品は、利用者が入札中の商品を含む。また、利用者の購入対象となる商品は、利用者がウォッチ中（ウォッチリストに登録中）の商品を含むものであっても良い。
【００４１】
なお、まとめて取引が可能な商品とは、例えば、オークションに係る取引連絡、支払い、及び発送等の処理のうち少なくとも一部をまとめて取引することができる商品を想定している。
【００４２】
例えば、落札された商品を商品Ｘとし、商品Ｘの出品者を出品者Ａとする。また、商品Ｘ、又は出品者Ａのアカウントに取り置き期間が設定されているものとする。この場合、出品者Ａが出品中の商品のうち、上記の取り置き期間内に終了日時が設定されている商品は、商品Ｘとまとめて取引連絡、支払い、発送等の処理を行うことができると考えられるので、まとめて取引が可能な商品と判断することができる。同様に、出品者Ａが出品中の商品のうち、即決価格が設定されている商品も、即決価格を入札することにより、取り置き期間内にオークションを終了させることが可能なので、まとめて取引が可能な商品と判断することができる。さらに、出品者Ａから落札済の商品のうち、その取り置き期間の少なくとも一部が、商品Ｘの取り置き期間に含まれる商品についても、まとめて取引が可能な商品と判断することができる。
【００４３】
なお、具体的なまとめて取引が可能な商品の抽出処理の例については後述する。
【００４４】
まとめ買い情報提供部（以下、情報提供部と呼ぶ）４０８は、商品を落札した利用者や、利用者のアカウントに、落札した商品の情報と、落札した商品とまとめて取引が可能な商品の情報とを含むまとめ買い情報を提供する。なお、利用者のアカウントには、例えば、管理サーバ１０１が提供するネットオークションにおける利用者のオークションページ（マイオークション等）や、利用者のメールアドレス等が含まれる。
【００４５】
好ましくは、このまとめ買い情報には、利用者が落札済の商品の価格の情報、利用者が入札中の商品の価格の情報、及びその合計金額の情報等が含まれる。
【００４６】
また、好ましくは、このまとめ買い情報には、まとめて取引が可能な商品を購入することによって得られる特典の情報（例えば、送料無料、割引、ポイント２倍等）と、特典を得るための条件の情報が含まれる。
【００４７】
記憶制御部４１０は、上記の各手段から、記憶部４１１への情報、データ等の記憶及び読出しを制御する手段である。なお、図４の例では、記憶部４１１が管理サーバ１０１に含まれているが、これはあくまで一例である。記憶部４１１は、例えば、ネットワーク１０３に接続された外部サーバ（ストレージサーバ、データベース等）であっても良い。
【００４８】
また、上記の出品受付部４０１、出品情報管理部４０２、閲覧・入力受付部４０３、ウォッチリスト情報管理部４０４、入札履歴情報管理部４０５、落札管理部４０６、抽出部４０７、まとめ買い情報提供部４０８、及び記憶制御部４１０は、例えば、図２のＣＰＵ２０１で動作するプログラムによって実現される。
【００４９】
通信部４０９は、管理サーバ１０１をネットワーク１０３に接続して、情報端末１０２とデータの送受信を行うための手段であり、例えば、図２の通信部２０６等によって実現される。
【００５０】
記憶部４１１は、記憶制御部４１０の制御に従って、各種情報を記憶する記憶手段であり、例えば、図２のストレージ部２０４等によって実現される。また、前述したように、記憶部４１１は、管理サーバ１０１の外部に設けられた記憶手段であっても良い。記憶部４１１には、管理サーバ１０１が管理する各種の情報、例えば、ユーザ情報４１２、出品情報４１３、ウォッチリスト情報４１４、及び入札履歴情報４１５等が記憶される。
【００５１】
（管理サーバが管理する情報の例）
ここで、管理サーバ１０１が管理する各情報の概要について説明する。
【００５２】
図５は、一実施形態に係る各情報の例を示す図である。
【００５３】
記憶部４１１に記憶されたユーザ情報４１２は、予め登録されたネットオークションの利用者の情報である。
【００５４】
ユーザ情報４１２の一例を図５（ａ）に示す。図５（ａ）の例では、ユーザ情報４１２には、利用者のアカウント毎に、「ユーザＩＤ（Identification）」、「パスワード」、「表示名」、「メールアドレス」、「評価」等の情報が記憶されている。
【００５５】
「ユーザＩＤ」は、利用者（アカウント）を特定するための識別情報である。「パスワード」は、ログイン時の認証に用いる情報である。「表示名」は、ネットオークションのアカウントページや、商品情報ページ等に表示される名前である。「メールアドレス」は、利用者のメールアドレスである。「評価」は、利用者の過去の取引に対する取引相手から受けた評価値の情報である。
【００５６】
また、本実施形態では、ユーザ情報４１２に、例えば、図５（ｂ）に示すように、「取り置き期間」５０１、「特典情報」５０２、「代表ＩＤ」等の情報を予め登録しておくことができるものとする。
【００５７】
「取り置き期間」５０１は、落札された商品の取り置き可能な期間（例えば、２４時間、２日、５日等）の情報である。出品者は、商品が落札された後、この「取り置き期間」５０１の間、商品を取り置きし、この期間内に同一の利用者によって落札された他の商品とまとめて、取引連絡、入金、発送等をまとめて処理することができる。これにより、落札者は、例えば、取引連絡の回数の削減、振込手数料の節約、送料の節約等、様々なメリットを得ることができる。同様に、出品者も、取引連絡の回数の削減、入金確認回数の削減、梱包作業の省力化等、様々なメリットを得ることができる。
【００５８】
「特典情報」５０２は、例えば、「１５００円以上の落札で送料無料」、「３点以上の落札で１０％割引（又はポイント２倍）」等、まとめて取引が可能な商品を購入することにより得られる特典の情報と、特典を得るための条件の情報等を含む。
【００５９】
「代表ＩＤ」５０３は、同じ出品者に係る複数のユーザＩＤ（アカウント）を特定するための識別情報である。ネットオークションでは、一の出品者が、複数のユーザＩＤを利用して出品を行う場合がある。例えば、出品者１が、「ユーザＡ」のユーザＩＤで中古商品を出品し、「ユーザＢ」のユーザＩＤで新品商品を出品しているものとする。また、「ユーザＡ」から落札した商品と、「ユーザＢ」から落札商品は、まとめて取引を行うことが可能であるものとする。このような場合、管理サーバ１０１は、この「代表ＩＤ」５０３を用いて、「ユーザＡ」と「ユーザＢ」が、同じ出品者に係るユーザＩＤであると判断することができる。
【００６０】
本実施形態に係る管理サーバ１０１は、「取り置き期間」５０１、「特典情報」５０２、「代表ＩＤ」５０３等の情報を利用して、落札された商品とまとめて取引が可能な商品を抽出し、まとめ買い情報を利用者に提供することができる。出品者は、これらの情報を予めユーザ情報４１２に登録しておくことにより、出品商品毎に、これらの情報を入力する手間を省くことができる。なお、「取り置き期間」５０１、「特典情報」５０２、「代表ＩＤ」５０３等の情報はオプションである。
【００６１】
図５（ｃ）は、出品情報４１３の例を示す。出品情報４１３は、例えば、「オークションＩＤ」、「出品者ＩＤ」、「カテゴリ」、「タイトル」、「商品説明」、「商品画像」、「入札終了日時」、「開始価格」、「即決価格」、「現在価格」、「落札情報」、「取り置き期間」５０４、「特典情報」５０５、「同梱不可」５０６等の情報を含む。
【００６２】
このうち、「取り置き期間」５０４、「特典情報」５０５は、それぞれ、前述したユーザ情報４１２の「取り置き期間」５０１、「特典情報」５０２に対応している。これらの情報は、商品毎に出品情報４１３に設定することもできるし、商品の出品者（出品者のアカウント）毎にユーザ情報４１２に設定することもできる。
【００６３】
「同梱不可」５０６の情報は、他の商品とまとめ買いができないことを示す情報である。例えば、出品される商品の中には、大きさや重さの制限等により、他の商品と同梱できないものも含まれる。このような場合、出品者は、この「同梱不可」５０６の情報を設定することにより、同梱不可の商品を、例えば、情報提供部４０８が提供するまとめ買い情報から除外することができる。なお、「取り置き期間」５０４、「特典情報」５０５、「同梱不可」５０６等の情報はオプションである。
【００６４】
また、出品情報４１３の、「オークションＩＤ」は出品された商品を特定するための識別情報である。「出品者ＩＤ」は出品者のユーザＩＤである。「カテゴリ」は出品した商品に対して与えられた商品カテゴリである。「タイトル」は出品した商品を簡素に示した文字列である。「商品説明」は、出品した商品の内容を説明する文字列である。「商品画像」は、出品した商品の画像である。「入札終了日時」は、入札を締め切る日時である。「開始価格」は、入札開始時の最低受け入れ価格である。
【００６５】
「現在価格」は、現時点での最高入札価格である。「即決価格」は、この価格で入札した入札者が即座に落札できる価格である。「落札情報」は、商品が落札された場合の落札者ＩＤ、落札価格、落札日時等を含む情報である。なお、「落札情報」は、商品が落札された場合に、例えば、落札管理部等によって自動的に登録される。
【００６６】
図５（ｄ）は、ウォッチリスト情報４１４の例を示す。ウォッチリスト情報４１４には、例えば、ウォッチリストへの登録を行った利用者の「ユーザＩＤ」と、商品を特定するための「オークションＩＤ」と、商品ページを特定する「商品ページＵＲＬ」等が，対応づけられて記憶される。
【００６７】
図５（ｅ）は、入札履歴情報４１５の例を示す。入札履歴情報４１５には、例えば、「オークションＩＤ」、「入札者ＩＤ」、「入札価格」、「入札時刻」等の情報が含まれる。
【００６８】
「オークションＩＤ」は出品された商品を特定するための識別情報である。「入札者ＩＤ」は、入札者のユーザＩＤである。「入札価格」は、入札した価格である。「入札時刻」は、入札した時刻である。なお、「入札時刻」は、「入札日時」であっても良い。
【００６９】
（情報端末の機能構成）
続いて、図４を用いて、情報端末の機能構成について簡単に説明する。情報端末１０２は、通信部４１６、ブラウザ４１７、メーラ４１８等を有する。
【００７０】
通信部４１６は、情報端末１０２をネットワーク１０３に接続して、管理サーバ１０１とデータの送受信を行うための手段であり、例えば、図３の通信部３０７等によって実現される。
【００７１】
ブラウザ４１７は、一般的なウェブブラウザである。情報端末１０２の利用者は、ブラウザ４１７を使って管理サーバ１０１が提供するネット-クション用のウェブサイトにアクセスして、提供されるウェブページを表示し、情報を入力することができる。
【００７２】
メーラ４１８は、一般的なメールソフトウェアであり、電子メールの作成、受信、送信、閲覧等を行うことができる。なお、ブラウザ４１７、及びメーラ４１８、例えば、図３のＣＰＵ３０１で動作するプログラムによって実現される。
【００７３】
＜処理の流れ＞
（出品時の処理）
続いて、出品時の処理の流れについて説明する。
【００７４】
図６は、一実施形態に係る出品時の処理の例を示す図である。図６において、ステップＳ６０１〜Ｓ６０７の処理は、利用者がネットオークションにログインする際のログイン処理を示している。ログイン処理は、利用者がネットオークションシステムにログイン済の場合、省略することができる。
【００７５】
また、図６では、図４の閲覧・入力受付部４０３と、出品受付部４０１とをまとめて「閲覧・入力受付部／出品受付部」と表記している。
【００７６】
ステップＳ６０１において、出品者が出品者の情報端末１０２−１からログイン操作を行う。
【００７７】
ステップＳ６０２において、ログイン操作を受け付けた情報端末１０２−１は、「閲覧・入力受付部／出品受付部」（以下、「受付部」と呼ぶ）に、ログインページを要求する。
【００７８】
ステップＳ６０３において、「受付部」は、情報端末１０２−１からのログインページの要求に対して、情報端末１０２−１にログインページを表示させる。
【００７９】
ステップＳ６０４において、情報端末１０２−１のブラウザ４１７にログインページが表示される。このとき、表示されるログインページの画面例を図７（ａ）に示す。図７（ａ）の例では、ログインページの画面７０１には、ユーザＩＤの入力欄７０２と、パスワードの入力欄７０３、及び送信ボタン７０４が表示されている。
【００８０】
ステップＳ６０５において、出品者がログインページにログイン情報を入力する。例えば、出品者は、図７（ａ）のユーザＩＤの入力欄７０２に出品者のユーザＩＤを入力し、パスワードの入力欄７０３に出品者のパスワードを入力して、送信ボタン７０４を選択する。
【００８１】
ステップＳ６０６において、ログイン情報の入力を受け付けた情報端末１０２−１は、「受付部」にログイン情報を送信する。
【００８２】
ステップ６０７において、情報端末１０２−１からログイン情報を受け付けた「受付部」は、受け付けたログイン情報を、記憶部４１１に記憶したユーザ情報４１２と比較することにより、出品者の認証を行う。出品者が登録済の利用者である場合（認証ＯＫの場合）、「受付部」は、情報端末１０２−１に出品者のアカウントページ（マイオークション等）を表示させる（ステップＳ６０８）。一方、出品者が登録済みの利用者であることが確認できない場合（認証ＮＧの場合）、「受付部」は、例えば、ステップＳ６０３に処理を移行させて、再度ログインページを表示させる。ここでは、認証がＯＫである場合について、以下の説明を続ける。
【００８３】
ステップＳ６０９において、情報端末１０２−１のブラウザ４１７に出品者のアカウントページが表示される。
【００８４】
ステップＳ６１０において、出品者は、表示されたアカウントページから、出品開始操作（例えば出品ボタンを選択）を行う。これに応じて、ステップＳ６１１において、情報端末１０２−１は、「受付部」に出品受付ページを要求する。
【００８５】
ステップＳ６１２において、「受付部」は、情報端末１０２−１に出品受付ページを表示させる。ステップＳ６１３において、情報端末１０２−１のブラウザ４１７には、出品受付ページが表示される。このとき、表示される出品受付ページの例を図７（ｂ）に示す。
【００８６】
図７（ｂ）において、出品受付ページの画面７０５には、例えば、出品者ＩＤの表示欄７０６、カテゴリの入力欄７０７、タイトルの入力欄７０８、商品説明の入力欄７０９、商品画像の設定欄７１０、開始価格の入力欄７１１、即決価格の入力欄７１２等が設けられている。
【００８７】
さらに、本実施形態に係る出品受付ページの画面７０５には、取り置き期間の入力欄７１３、特典情報の入力欄７１４、及び同梱可否の設定欄７１５等が設けられている。出品者は、例えば、取り置き期間の入力欄７１３、特典情報の入力欄７１４、及び同梱可否の設定欄７１５に情報を設定することにより、これらの情報を、出品する商品毎に出品情報４１３に登録することができる。
【００８８】
また、出品者が、取り置き期間の入力欄７１３、特典情報の入力欄７１４等への情報の入力を省略した場合、図５（ｂ）のユーザ情報４１２に予め設定された取り置き期間５０１、特典情報５０２等の情報が、自動的に出品情報４１３に反映されるものであっても良い。
【００８９】
さらに、出品者が、取り置き期間の入力欄７１３、特典情報の入力欄７１４等への情報の入力を省略し、かつ、ユーザ情報４１２に、取り置き期間５０１、特典情報５０２等の情報が設定されていない場合、出品商品は、取り置き不可の商品として認識されるものであっても良い。
【００９０】
図６に戻って、シーケンスチャートの説明を続ける。
【００９１】
ステップＳ６１４において、出品者が、図７（ｂ）の出品受付ページに情報を入力し、登録ボタン７１６を選択する。これに応じて、ステップＳ６１５において、入力された出品情報は、「受付部」に通知される。
【００９２】
ステップＳ６１６において、情報端末１０２−１から出品情報を受け付けた「受付部」は、出品情報管理部４０２に出品情報の登録を要求する。これに応じて、ステップＳ６１７において、出品情報管理部４０２は、出品情報を記憶部４１１の出品情報４１３に登録する。
【００９３】
ステップＳ６０８において、出品情報管理部４０２は、出品登録が完了したことを「受付部」に通知し、ステップＳ６１９において、「受付部」は、出品情報の登録が完了したことを示す登録完了ページを情報端末１０２−１に表示させる。
【００９４】
ステップＳ６０２において、情報端末１０２−１は、登録完了ページを表示し、出品処理を終了する。
【００９５】
上記の処理により、出品者は、出品時に「取り置き期間」５０４、「特典情報」５０５、「同梱不可」等の情報を登録することができる。
【００９６】
（まとめ買い商品の抽出処理）
次に、図８、９を用いて、抽出部４０７のまとめ買い商品の抽出処理の例について説明する。なお、以下の説明の中で、「まとめ買い商品」とは、落札された商品とまとめて取引を行うことが可能な商品を示すものとする。
【００９７】
図８は、一実施形態に係る抽出部の処理の流れを示すフローチャートである。抽出部４０７は、例えば、利用者からのまとめ買い情報ページの要求等に応じて、図８、９に示すまとめ買い商品の抽出処理を実行する。また、抽出部４０７は、図８、９に示すまとめ買い商品の抽出処理を、任意のタイミングで実行することもできる。
【００９８】
ステップＳ８０１において、抽出部４０７は、利用者によって落札された商品があるか否かを判断し、落札された商品がある場合、ステップＳ８０２以降の処理を実行する。一方、落札された商品がない場合、抽出部４０７は処理を、例えば、終了させる。
【００９９】
好ましくは、抽出部４０７は、落札された商品の出品情報４１３に含まれる同梱不可５０６の情報を確認し、同梱ができない落札商品を除外して以下の処理を行う。
【０１００】
ステップＳ８０２において、抽出部４０７は、落札された商品が、複数の出品者に係る落札商品を含むか否かを判断する。例えば、抽出部４０７は、落札された商品の出品情報４１３の出品者ＩＤ、及び代表ＩＤ５０３のいずれかが一致した場合、同じ出品者に係る落札商品であると判断することができる。一方、出品情報４１３の出品者ＩＤ、及び代表ＩＤ５０３のいずれも一致しない商品を、異なる出品者に係る落札商品であると判断することができる。
【０１０１】
ステップＳ８０２において、複数の出品者に係る落札商品を含むと判断された場合、ステップＳ８０３において、抽出部４０７は、落札された複数の商品を、出品情報４１３の出品者ＩＤ又は代表ＩＤ５０３が一致する複数の出品者グループに分類する。これは、出品者ＩＤ、及び代表ＩＤ５０３のいずれも一致しない落札商品は、まとめて、取引連絡、入金処理、発送等を行うことができないと考えられるためである。
【０１０２】
一方、ステップＳ８０２において、利用者によって落札された商品に、複数の出品者に係る落札商品が含まれないと判断された場合、ステップＳ８０４において、抽出部４０７は、落札された商品を１つの出品者グループとする。
【０１０３】
ステップＳ８０５では、抽出部４０７は、ステップＳ８０３、又はステップＳ８０４でグループ分けされた出品者グループ毎に、まとめ買い商品の抽出処理を行う。
【０１０４】
図９は、一実施形態に係るまとめ買い商品の抽出処理の流れを示すフローチャートである。この処理は、図８のステップＳ８０５において、出品者グループ毎に行われるまとめ買い商品の抽出処理の例である。この処理は、図８のステップＳ８０３、又はステップＳ８０４でグループ分けされた出品者グループ毎に行われる。また、ここでは、利用者の購入対象となる商品が、利用者が入札中の商品であるものとして説明を行う。
【０１０５】
ステップＳ９０１において、抽出部４０７は、利用者によって落札された商品が複数あるか否かによって処理を分岐させる。
【０１０６】
ステップＳ９０１において、落札された商品が１つである場合、抽出部４０７は、ステップＳ９０２に処理を移行させて、落札された１つの商品の取り置き期間を、まとめ買いの対象期間とする。
【０１０７】
一方、ステップＳ９０１において、落札された商品が複数ある場合、抽出部４０７は、ステップＳ９０３に処理を移行させて、落札された複数の商品のうち、取り置き期間の残りが最も短い商品である先頭商品を特定する。
【０１０８】
続いて、ステップＳ９０４において、抽出部４０７は、特定された先頭商品の取り置き期間５０４を、まとめ買い対象期間とする。
【０１０９】
図１０は、まとめ買い対象期間について説明するための図である。図１０の「現時点」において、利用者は、例えば、同じ出品者から、商品１、商品２、及び商品３の３つの商品を落札済であるものとする。また、商品１には、Ｔ１〜Ｔ４の期間が取り置き期間１００１として設定されており、商品２には、Ｔ２〜Ｔ５の期間が取り置き期間１００２として設定されているものとする。さらに、商品３には、Ｔ３〜Ｔ５の期間が取り置き期間１００３として設定されているものとする。
【０１１０】
この場合、抽出部４０７は、図１０の「現時点」において、取り置き期間の残り期間が最も短い商品１を、前述した先頭商品として特定し、この商品１の取り置き期間１００１を、まとめ買い対象期間１００４とする。
【０１１１】
図９に戻って、フローチャートの説明を続ける。
【０１１２】
ステップＳ９０５において、抽出部４０７は、落札された商品と同一の出品者に係る入札中の商品のうち、オークションの終了日時（入札終了日時）が、まとめ買い対象期間に含まれる商品を、落札された商品とまとめて取引が可能な商品として抽出する。なお、入札中の商品の入札終了日時は、現時点以降に設定されていると考えられるので、抽出部４０７は、現在の時刻から、まとめ買い対象期間の終了までの期間に入札終了日時を迎える入札中の商品を抽出するもの等であっても良い。
【０１１３】
抽出部４０７は、ステップＳ９０６において、落札された商品と同一の出品者に係る入札中の商品のうち、オークションの終了日時がまとめ買い対象期間に含まれない商品の中から、即決価格が設定されている商品を抽出する。これは、即決価格が設定されている入札中の商品は、即決価格を入札することにより、まとめ買い対象期間内にオークションを終了させることができるので、まとめ買いが可能と考えられるためである。
【０１１４】
上記処理により、抽出部４０７は、利用者が落札した商品の取り置き期間の情報に基づいて、利用者が入札中の商品の中から、利用者が落札した商品とまとめて取引が可能な商品を抽出することができる。
【０１１５】
好ましくは、抽出部４０７は、入札中の商品の出品情報４１３に含まれる同梱不可５０６の情報を確認し、同梱ができない入札中の商品を除外して上記の抽出処理を行う。
【０１１６】
なお、図９の処理は、利用者が落札した商品とまとめて取引が可能な商品を抽出する処理の一例である。例えば、図９の処理では、利用者の購入対象となる商品が、利用者の入札中の商品であるものとして説明を行ったが、利用者の購入対象となる商品は、利用者のウォッチ中（ウォッチリストに登録中）の商品等を含んでいても良い。
【０１１７】
＜表示画面の例＞
次に、利用者のアカウントに提供されるまとめ買い情報の例について説明する。
【０１１８】
図１１は、一実施形態に係るユーザのオークションページの例を示す図である。ネットオークションの利用者には、例えば、図１１に示すような、ユーザ毎のオークションページ（マイオークション等）が提供される。図１１の例では、ユーザのオークションページ１１０１には、「ウォッチリスト」、「入札中」１１０２、「落札分」１１０３、「まとめ買い」１１０４、「出品中」、「出品する」、「出品終了分」等の選択ボタンが含まれる。
【０１１９】
利用者は、例えば、図１１のユーザのオークションページ１１０１において、「出品する」のボタンを選択することにより、図６のステップＳ６１０以降の出品処理を、管理サーバ１０１に要求することができる。
【０１２０】
また、「ウォッチリスト」のボタンは、ウォッチリストに登録された商品の一覧を呼び出すときに利用される。「入札中」１１０２のボタンは、入札中の商品の一覧を呼び出すときに利用される。「落札分」１１０３のボタンは、落札済の商品の一覧を呼び出すときに利用される。「出品中」のボタンは、出品中の商品の一覧を呼び出すときに利用される。「出品終了分」のボタンは、出品が終了した商品の一覧を呼び出すときに利用される。
【０１２１】
さらに、利用者は、「まとめ買い」１１０４のボタンを選択することにより、本実施形態の情報提供部４０８によって提供される、まとめ買い情報ページの表示を管理サーバ１０１に要求することができる。
【０１２２】
ここで、まとめ買い情報ページの説明を行う前に、「入札中」１１０２のボタンを選択することにより表示される入札中ページと、「落札分」１１０３のボタンを選択することにより表示される落札分ページについて、簡単に説明する。
【０１２３】
図１２は、一実施形態に係る入札中ページ、及び落札分ページの例を示す図である。
【０１２４】
利用者が、ユーザのオークションページ１１０１において、「入札中」１１０２のボタンを選択すると、例えば、利用者の情報端末１０２のブラウザ４１７に、図１２（ａ）に示すような入札中ページ１２０１が表示される。入札中ページ１２０１には、利用者が入札中の商品の、「商品名」、「現在価格」、「入札数」、「出品者」、「最高額入札者」、「残り時間」等が表示され、商品毎に入札画面を呼び出すための「入札」ボタンが設けられている。
【０１２５】
図１２（ａ）において、「商品名」には、例えば、図５の出品情報４１３の「タイトル」等が表される。「現在価格」には、出品情報４１３の「現在価格」が表示される。「入札数」には、例えば、図５の入札履歴情報４１５に基づく入札件数が表示される。「出品者」には、例えば、出品者のユーザ情報４１２の「表示名」が表示される。「最高額入札者」には、例えば、図５の入札履歴情報４１５の最高入札価格を入札した入札者の「入札者ＩＤ」が表示される。
【０１２６】
また、「残り時間」には、現在の時刻から、出品情報４１３の「入札終了日時」までの時間が表示される。また、「入札」ボタンを選択することにより、各商品の入札ページを表示させることができる。
【０１２７】
このように、利用者は、図１２（ａ）の入札中ページにより、利用者が入札中の商品について、例えば、上記のような各種の情報を得ることができる。
【０１２８】
また、利用者が、ユーザのオークションページ１１０１において、「落札分」１１０３のボタンを選択すると、図１２（ｂ）に示すような落札分ページ１２０２が表示される。落札分ページ１２０２には、「オークションＩＤ」、「商品名」、「落札価格」、「終了日時」、「出品者」等が表示され、商品毎に、取引連絡ページを呼び出すための「取引連絡」ボタンが設けられている。
【０１２９】
図１２（ｂ）において、「オークションＩＤ」には、図５の出品情報４１３の「オークションＩＤ」が表示される。「商品名」には、例えば、図５の出品情報４１３の「タイトル」等が表される。「落札価格」には、出品情報４１３の「落札情報」に含まれる落札価格等が表示される。「終了日時」には、出品情報４１３の「落札情報」に含まれる落札日時等が表示される。「出品者」には、例えば、出品者のユーザ情報４１２の「表示名」が表示される。また、「取引連絡」ボタンを選択することにより、各商品の取引連絡ページを表示させることができる。
【０１３０】
このように、利用者は、図１２（ｂ）の落札分ページにより、利用者が落札済の商品について、例えば、上記のような各種の情報を得ることができる。
【０１３１】
しかし、図１２を見れば明らかなように、従来の技術では、入札中の商品の情報と、落札済の商品の情報は、別々に管理されており、同時に閲覧することは困難である。さらに、例えば、図１２のように、入札中ページと、落札分ページを並べて表示することができたとしても、取り置き期間、まとめ買い可能な商品、まとめ買いにより得られる特典（例えば、送料無料、割引等）の情報を得ることはできない。従って、従来の技術では、利用者が、例えば、終了日時が異なる複数の商品をまとめて購入したい場合、その複数の取引を管理することには困難を伴っていた。
【０１３２】
次に、本実施形態に係るまとめ買い情報ページの例について説明する。
【０１３３】
図１３は、一実施形態に係るまとめ買い情報ページの例を示す図である。利用者は、例えば、図１１に示すユーザのオークションページの「まとめ買い」１１０４ボタンを選択すること等により、例えば、図１３に示すようなまとめ買い情報ページ１３０１を表示させることができる。このまとめ買い情報ページ１３０１は、図４の情報提供部（まとめ買い情報提供部）４０８によって提供される。
【０１３４】
図１３に示すように、まとめ買い情報ページ１３０１には、利用者が落札した商品の情報１３０４と、利用者が落札した商品とまとめて取引が可能な商品の情報１３０５、１３０６とを含むまとめ買い情報１３０３が表示される。これにより、利用者は、例えば、購入を希望する商品について、それらを購入してまとめて取引することができるかどうかを把握することが容易になる。好ましくは、まとめ買い情報１３０１は、出品者毎にまとめて表示される。
【０１３５】
なお、情報提供部４０８は、抽出部４０７により抽出された情報に基づいて、まとめて取引が可能な商品の情報１３０５、１３０６を表示することができる。
【０１３６】
好ましくは、まとめ買い情報ページ１３０１には、まとめ買いによる特典の情報１３０２が含まれる。これにより、利用者は、まとめて取引が可能な商品を購入することによりどのような特典が得られるのかを容易に認識することができる。これにより、まとめ買いの利便性を向上させ、利用者によるまとめ買いを促進する効果が期待できる。
【０１３７】
なお、情報提供部４０８は、まとめ買いによる特典の情報１３０２を、例えば、図５のユーザ情報４１２の特典情報５０２、又は出品情報４１３の特典情報５０５等に基づいて表示させることができる。
【０１３８】
図１３の例では、情報提供部４０８は、出品情報４１３の特典情報５０５に基づいて、「出品者ｘｘｘｘｘ」の出品商品に係るまとめ買いによる特典の情報１３０２を表示している。この例では、利用者による期間内の落札価格の合計が１５００円以上になると「送料無料」という特典が得られる旨が表示されている。また、情報提供部４０８は、出品情報４１３の特典情報５０５等に基づいて、まとめ買い情報１３０３毎に、まとめ買いによる特典の情報１３０２を表示させるものであっても良い。
【０１３９】
続いて、図１３のまとめ買い情報１３０３について、さらに詳しく説明する。図１３に示すように、まとめ買い情報１３０３には、利用者が落札した商品の価格の情報や、利用者が落札した商品とまとめて取引が可能な商品の価格の情報が含まれる。
【０１４０】
好ましくは、まとめ買い情報１３０３には、利用者が落札した商品の価格と、利用者が落札した商品とまとめて取引が可能な商品の価格との合計金額の情報１３０７が含まれる。
【０１４１】
好ましくは、まとめ買い情報１３０３には、まとめ買いによる特典を得るための条件の情報１３０８も含まれる。図１３の例では、特典を得るための条件の情報１３０８として、「あと１００円」で、特典が得られることが示されている。これにより、利用者は、あといくらで送料が無料になるのか、まとめ買いによる特典が得られるのかを確認しながら、入札の判断を行うことができるようになる。
【０１４２】
好ましくは、まとめ買い情報１３０３には、「まとめ買いが可能な期間の情報」１３１３や、「他の商品を探す」１３１４等の情報も含まれる。「他の商品を探す」１３１４の文字列は、出品者「ｘｘｘｘｘ」が出品中の商品の一覧ページにリンクされている。これにより、利用者は、出品者「ｘｘｘｘｘ」の出品中の商品から、まとめ買いが可能な他の商品を探し出すことが容易になる。
【０１４３】
好ましくは、落札した商品の情報１３０４には、落札済の商品であることを示す「落札済」１３０９の情報が表示される。これにより、利用者は、落札済の商品を容易に判別することができるようになる。
【０１４４】
好ましくは、落札した商品の情報１３０４には、商品名、現在価格、入札件数、出品者、落札者、終了日時等の情報も含まれる。
【０１４５】
一方、まとめて取引が可能な商品の情報１３０５、１３０６には、それぞれ、「入札」ボタン１３１０、１３１１が表示されている。利用者は、このボタンを選択することにより、商品毎の入札ページを表示させることができる。このとき、表示される入札ページの画面の例を図１４（ａ）に示す。
【０１４６】
図１４（ａ）において、入札ページ１４０１には、入札者ＩＤの表示欄１４０２、オークションＩＤの表示欄１４０３、タイトルの表示欄１４０４、入札価格の入力欄１４０５、及び「入札」ボタン１４０６等が表示されている。
【０１４７】
入札者ＩＤの表示欄１４０２には、入札する利用者のユーザＩＤが表示される。オークションＩＤの表示欄１４０３には、図４の出品情報４１３等に基づいて、入札対象となる商品のオークションＩＤが表示される。タイトルの表示欄１４０４には、出品情報４１３等に基づいて、入札対象となる商品のタイトルが表示される。
【０１４８】
また、利用者は、入札価格の入力欄１４０５に入札価格を入力して、「入札」ボタン１４０６を選択することにより、入札対象となる商品に入札を行うことができる。
【０１４９】
図１３に戻って、まとめ買い情報ページの説明を続ける。
【０１５０】
好ましくは、まとめて取引が可能な商品の情報１３０５、１３０６には、「まとめて入札」ボタン１３１２が表示される。利用者は、このボタンを選択することにより、まとめて取引が可能な複数の商品に対して、まとめて入札処理を行う「まとめて入札ページ」を表示させることができる。このとき、表示される「まとめて入札ページ」の画面の例を図１４（ｂ）に示す。
【０１５１】
図１４（ｂ）において、「まとめて入札ページ」１４０７には、利用者が落札した商品（商品１）の情報と、利用者が落札した商品とまとめて取引が可能な商品（商品２、商品３）の情報がまとめて表示されている。落札した商品（商品１）の情報には、例えば、オークションＩＤ、タイトルと共に、落札した価格の情報１４０８等が表示されている。また、まとめて取引が可能な商品（商品２、商品３）の情報には、例えば、オークションＩＤ、タイトルと共に、入札価格の入力欄１４０９、１４１０がそれぞれ表示されている。
【０１５２】
利用者は、この入札価格の入力欄１４０９、１４１０に、入札価格をそれぞれ入力し、「まとめて入札」ボタン１４１３を選択することにより、まとめて取引が可能な複数の商品（商品２、商品３）に、まとめて入札を行うことができる。これにより、商品毎に、図１４（ａ）に示すような入札ページを開いて入札を行う手間を省き、複数の商品に対する入札の管理を容易に行うことができるようになる。
【０１５３】
好ましくは、まとめて入札ページ１４０７には、落札した商品の価格と、まとめて取引が可能な商品の価格との合計価格の情報１４１１が表示される。これにより、利用者の入札の判断をさらに容易にすることができる。
【０１５４】
好ましくは、まとめて入札ページ１４０７には、図１４（ｂ）に示す「まとめて入札価格」の入力欄１４１２が表示される。例えば、利用者は、この「まとめて入札価格」の入力欄１４１２に入札価格を入力し、「まとめて入札」ボタン１４１３を選択することにより、まとめて取引が可能な複数の商品（商品２、商品３）に対する入札価格（まとめて入札価格）を設定することができる。
【０１５５】
この「まとめて入札価格」が設定されると、管理サーバ１０１は、例えば、この「まとめて入札価格」の範囲内で、まとめて取引が可能な複数の商品に自動的に入札する。
【０１５６】
例えば、商品２と商品３にそれぞれ６００円の即決価格が設定されており、現在価格がそれぞれ１００円であるものとする。また、「まとめて入札価格」に１０００円が設定されたものとする。この場合、商品２と商品３とを共に即決価格で購入することができないので、管理サーバ１０１は、例えば、終了時刻が早い商品２に自動的に応札を行い、商品２を４００円以下で落札した場合に、商品３に即決価格で入札を行う。これにより、利用者は、「まとめて入札価格」に設定した１０００円の範囲内で、商品２と商品３を自動的に落札することができるようになる。なお、この説明はあくまで一例であり、自動的に入札を行う方法は、任意の方法あって良い。
【０１５７】
［その他の実施形態］
上記の実施形態は一例であり、本発明は様々な応用が可能である。ここでは、本発明の応用例のいくつかについて、簡単に説明する。
【０１５８】
上記の実施形態では、情報提供部４０８が提供する「まとめ買い情報」１３０１は、オークションページ１１０１から呼び出すものとして説明を行った。しかし、「まとめ買い情報」１３０１は、例えば、利用者のメールアドレスや、情報端末１０２で動作するネットオークション用のアプリケーション等に通知されるものであっても良い。
【０１５９】
また、上記の実施形態では、情報提供部４０８が提供する「まとめ買い情報」１３０１は、利用者が落札した商品の情報と、利用者が落札した商品とまとめて取引が可能な商品の情報とを含むものとして説明を行った。しかし、情報提供部４０８が提供するまとめ買い情報は、例えば、図１３の「まとめ買い情報」１３１５のように、入札中の商品のうち、既にまとめ買いによる特典を得るための条件を満たした商品の情報を、さらに表示させるものであっても良い。このような商品は、落札時には、まとめ買いによる特典を受けることができるので、利用者は、特典を考慮して、さらなる入札や、まとめ買いの検討等を行うことができるようになる。
【０１６０】
さらに、上記の実施形態では、例えば、図１０において、取り置き期間が最も短い商品１の取り置き期間１００１を、まとめ買い対象期間１００４とする場合の例について説明した。しかし、図１０において、例えば、商品２の取り置き期間１００２を第２のまとめ買い対象期間とし、商品３の取り置き期間１００３を第３のまとめ買い対象期間として、まとめて取引が可能な複数の期間毎にまとめて、複数のまとめ買い情報を提供するものであっても良い。
【０１６１】
さらにまた、上記の実施形態では、利用者が落札した商品とまとめて取引が可能な期間である「まとめ買い対象期間」について、利用者が落札した商品の取り置き期間の情報に基づいて特定する場合の例について説明した。しかし、これは一例であり、本発明の範囲を限定するものではない。例えば、「まとめ買い対象期間」は、「毎月１日〜１５日の落札分を必ずまとめ買い期間とする」等、システムや出品者等により予め定められた期間等であっても良い。或いは、「まとめ買い対象期間」は、例えば、「現在入札中の商品のうち最も入札終了日時が遅い日時をまとめ買い可能期間とする」等、利用者の購入対象となる商品の情報に基づいて特定されるもの等であっても良い。
【０１６２】
＜まとめ＞
以上、本実施形態に係る情報処理装置（１０１）は、
ネットオークションを管理する情報処理装置（１０１）であって、
利用者の購入対象となる商品の中から、前記利用者が落札した商品とまとめて取引が可能な商品を抽出する抽出手段（４０７）と、
前記落札した商品の情報と、前記落札した商品とまとめて取引が可能な商品の情報とを含むまとめ買い情報（１３０３）を、前記利用者に提供する情報提供手段（４０８）と、
を有する。
【０１６３】
これにより、ネットオークションにおいて、利用者が、購入を希望する商品について、それらを購入してまとめて取引することができるかどうかを把握することを容易にする情報処理装置を提供することができる。
【０１６４】
なお、上記括弧内の参照符号、及び名称は、理解を容易にするために付したものであり、あくまで一例であって、本発明の範囲を限定するためのものではない。
【０１６５】
また、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０１６６】
１００            ：情報処理システム
１０１            ：管理サーバ（情報処理装置）
１０２            ：情報端末
４０７            ：まとめ買い情報抽出部（抽出部、抽出手段）
４０８            ：まとめ買い情報提供部（情報提供部、情報提供手段）
５０１、５０４    ：取り置き期間（取り置き期間の情報）
１３０１          ：まとめ買い情報ページ
１３０２          ：特典の情報
１３０３          ：まとめ買い情報
１３０７          ：合計金額の情報
１３０８          ：特典を得るための条件の情報
１３１２          ：まとめて入札ページへのリンク情報
１３１４          ：商品一覧ページへのリンク情報
【図１】
0006006359.tif 000002
【図２】
0006006359.tif 000003
【図３】
0006006359.tif 000004
【図４】
0006006359.tif 000005
【図５】
0006006359.tif 000006
【図６】
0006006359.tif 000007
【図７】
0006006359.tif 000008
【図８】
0006006359.tif 000009
【図９】
0006006359.tif 000010
【図１０】
0006006359.tif 000011
【図１１】
0006006359.tif 000012
【図１２】
0006006359.tif 000013
【図１３】
0006006359.tif 000014
【図１４】
0006006359.tif 000015